(57)【要約】【課題】【解決手段】本発明は、盗難防止安全システムにおける使用のための電源タップ及び電気機器のための盗難防止安全システムを提供する。電源タップは、電気機器用の電源コードに電気的に接続されるところの電源プラグを受取るためにタップソケット（１１）を備える。該電源タップは、該電源プラグがタップソケット（１１）に挿入されるとき、該電源コード及び／又は該電気機器の第１の電気的特性を測定するように、且つ該電源プラグが挿入されている間、該電源コード及び／又は該電気機器の第２の電気的特性を測定するように構成された電子回路（１００）を備える。該第１の測定結果と該第２の測定結果との間の変化は、警報を起動する。【選択図】図２
2017515250.tif 000002
【特許請求の範囲】
【請求項１】
電気機器（３０）のための盗難防止安全システム（１）における使用のための電源タップ（１０）であって、該電源タップ（１０）は、電気機器（３０）のための電源コード（４１）に電気的に接続されているところの電源プラグ（４０）を受け取るためのタップソケット（１１）を備え、該電源タップ（１０）は、電子回路（１００）およびメモリ（１０１）を備え、該電子回路（１００）は、
第１の測定結果を得るために該電源プラグ（４０）が該タップソケット（１１）に挿入されるとき、該電源コード（４１）及び／又は該電気機器（３０）の第１の電気的特性を測定するように、
該第１の測定結果を該メモリ（１０１）に記憶させるように、
第２の測定結果を得るために該電源プラグ（４０）が該タップソケット（１１）に挿入されている間に、該電源コード（４１）及び／又は該電気機器（３０）の第２の電気的特性を測定するように、および
変化した電気的特性を検出するために該第１の測定結果を該第２の測定結果と比較するように、
構成されている、
上記電源タップ（１０）。
【請求項２】
該電気的特性は、
該電源プラグ（４０）が該タップソケット（１１）に挿入されるとき、該電源プラグ（４０）の２つのピン（４３、４４）を介して測定可能な並列キャパシタンス、および
該電源プラグ（４０）が該タップソケット（１１）に挿入されるとき、該電源プラグ（４０）の２つのピン（４３、４４）を介して測定可能な電磁誘導、
の少なくとも１つを含んでいる、
請求項１に記載の電源タップ（１０）。
【請求項３】
さらに、同一性読取り器（１３）、例えばＲＦＩＤタグリーダ、ＮＦＣリーダ、または指紋読取り器を備え、該電源タップ（１０）は、該同一性読取り器（１３）を介して同一性データを受け取った後にのみ、該タップソケット（１１）を活性化させるように構成され、且つ該電源タップ（１０）は、別のメモリ（４０４）に該同一性データを記憶するよう構成されている、請求項１または２に記載の電源タップ（１０）。
【請求項４】
さらに、
該電気的特性の変化の検出により起動される警報音を作るための該電子回路（１００）に電気的に接続されたスピーカー（１４）、および
該電気的特性の変化の検出により起動される警報信号を出力するために、及び／又は該タップソケット（１１）が使用中であることを示すために、視覚的表示器（１５）、例えばＬＥＤ、または電子的ディスプレイ、
の少なくとも１つを備える、
請求項１〜３のいずれか１項に記載の電源タップ（１０）。
【請求項５】
２以上のタップソケット（１１）を備え、該電子回路（１００）は、第１の測定結果をソケット識別子と一緒に該メモリ（１０１）及び／又は別のメモリ（４０４）に記憶するように構成されている、請求項１〜４のいずれか１項に記載の電源タップ（１０）。
【請求項６】
さらに、該電源プラグ（４０）の該タップソケット（１１）内への挿入を検出するための検出手段（１６）を備え、該電子回路（１００）は、該電源プラグ（４０）の該挿入を検出すると、該第１の電気的特性の測定を開始するように構成されている、請求項１〜５のいずれか１項に記載の電源タップ（１０）。
【請求項７】
さらに、警報を起動する該電源タップ（１０）の動きを検出する動き検出器（１７）、例えば電子的３軸ジャイロスコープを備えている、請求項１〜６のいずれか１項に記載の電源タップ（１０）。
【請求項８】
該電源タップ（１０）は、該電子回路（１００）に電力を供給するために、外部電源（２５）に接続可能である、請求項１〜７のいずれか１項に記載の電源タップ（１０）。
【請求項９】
該電源タップ（１０）は、さらに、該外部電源（２５）が利用できないときに、該電子回路（１００）に一時的に電力を供給するために、バッテリー（１８）を備えている、請求項８に記載の電源タップ（１０）。
【請求項１０】
該電源タップ（１０）は、接続された電気機器（３０）に電力を供給するために、該外部電源（２５）から受けた電力で該タップソケット（１１）に電力供給をするように構成されている、請求項８または９に記載の電源タップ（１０）。
【請求項１１】
該タップソケット（１１）は、電力を供給されず、電気的特性を測定するのみのために用いられる、請求項８または９に記載の電源タップ（１０）。
【請求項１２】
電気機器（３０）のための盗難防止安全システム（１）であって、該安全システム（１）は、請求項１〜１１のいずれか１項に記載の電源タップ（１０）およびサーバーコンピュータ（２０）を備え、該電源タップ（１０）はさらに、該電源タップ（１０）を該サーバー（２０）へ通信可能に接続するためのネットワークインタエース（１９）を備え、該電源タップ（１０）は、該ネットワークインタフェース（１９）を介して、変化した該電気的特性によって起動された警報信号および変化した該電気的特性の標示の少なくとも１つを該サーバー（２０）へ送信するように構成されている、
上記安全システム（１）。
【請求項１３】
該サーバー（２０）は、１つのタップソケット（１１）が選択的に電力供給されることを可能にするように、オン／オフ信号を該電源タップ（１０）へ送信するように構成されている、請求項１２に記載の安全システム（１）。
【発明の詳細な説明】
【技術分野】
【０００１】
本発明は、電気機器用盗難防止安全システム、より特別には電気機器用盗難防止安全システムにおいて用いられる電源タップ（テーブルタップ）に関する。
【背景技術】
【０００２】
小売電気機器が盗まれるのを防止するために、電気機器は、それが展示されるところの陳列棚または売り台に確保されうる。
【０００３】
電気機器をチェーンロックで確保しておくことは、機器が持ち去られるのを防ぎながら、顧客が機器を持ちかつ場合によっては試すことを可能にする。そのようなチェーンロックは比較的容易に切断され且つそれにより警報は起動されないであろうことは、この解決策を余り好ましくないものにする。
【０００４】
代わりに、機器は、専用の警報ケーブルを用いる警報システムにつながれてもよい。そのような安全システムにおいて、警報ケーブルの一端は、例えば機器の開口部を通して警報ケーブルを輪状にすることによって機器に取り付けられる。ケーブルの他端は、専用の警報ソケットを介してケーブルを警報システムへ取り付けるためのプラグを備える。ケーブルチェーンロックについて、この解決策は、機器が持ち去られるのを防ぎながら、顧客が機器を手に取り且つ場合によっては試すことを可能にする。警報システムからケーブルを取り外すこと及びケーブルを切断することは、警報を起動する。専用の警報ケーブルは、しばしば美観上望ましくないことが判っている。さらに、専用の警報ソケットは、警報ケーブルを受け取るように実装されるべきであるが、コスト高になりうる。
【０００５】
欧州特許出願公開公報（EP0218281 B1）は、壁に取り付けられたコンセントによって電源に接続される電気機器用の盗難防止安全システムを開示している。電気機器は、壁に取り付けられたコンセントに電源ケーブルを挿入し、そしてプラグがコンセントから取り外されたときに電力プラグのピンがコンセントから外されたことを検出することによって、盗難が防止される。不利なことには、プラグがコンセントに挿入されたままである限り、電気機器は、依然として警報を起動することなく持ち去られうる。
【発明の概要】
【発明が解決しようとする課題】
【０００６】
上に指摘された従来技術の欠点を克服する、電気機器に関する改良された、盗難防止安全システムについてのニーズが存在する。
【課題を解決するための手段】
【０００７】
本発明の１局面に従うと、電気機器のための盗難防止安全システムにおいて使用するために、電源タップが提案される。該電源タップは、電気機器のための電源コードに電気的に接続されているところの電源プラグを受け取るためのタップソケットを備えうる。該電源タップは、電子回路およびメモリを備えうる。該電子回路は、第１の測定結果を得るために該電源プラグが該タップソケットに挿入されるとき、該電源コード及び／又は該電気機器の第１の電気的特性を測定するように構成されうる。該電子回路はさらに、該第１の測定結果を該メモリに記憶させるように構成されうる。該電子回路はさらに、第２の測定結果を得るために該電源プラグが該タップソケットに挿入されている間に、該電源コード及び／又は該電気機器の第２の電気的特性を測定するように構成されうる。該電子回路はさらに、変化した電気的特性を検出するために、該第１の測定結果を該第２の測定結果と比較するように構成されうる。
【０００８】
検出された変化した電気的特性は、該電源プラグ、電源ケーブル、または機器が不正に変更されたことの指示を提供する。有利的に、それは、該電源プラグが該タップソケットから引き抜かれるとき、該電源コードが切断されるとき、または該電源ケーブルが該機器から持ち去られるとき、検出されうる。電源コード自体が警報ケーブルとして機能し、追加の専用警報ケーブルまたはケーブルチェーンロックは必要でない。
【０００９】
該盗難防止安全システムは、該電源タップのみで構成されえ、２以上の電源タップを含みえ、且つ１以上の電源タップと通信可能に接続された、コンピュータに実装されたサーバーを含みうる。
【００１０】
該電源タップは、特に店舗での使用に適しているが、代わりに別の状況、例えば個人的な機器を確保するために家庭環境、または病院の機器を確保するために病院において使用されうる。
【００１１】
請求項２の実施態様は有利に、該電気的特性の信頼性が高く正確な測定を可能にする。静電容量及び／又は電磁誘導は、直接に測定される必要はなく、間接的に測定されうる。間接的な測定の１例は、静電容量又は電磁誘導の変化に依存して発振信号を生み出す発振回路を含み、その周波数は、該電源ケーブル及び／又は機器の静電容量または電磁誘導の標示である。
【００１２】
請求項３の実施態様は有利に、該電源タップへのアクセス制限、及び／又は誰が該電源タップを使用するかを記録することを可能にする。
【００１３】
請求項４の実施態様は有利に、音響的警報及び／又は視覚的警報が作動することを可能にする。視覚的標示は有利的に、タップソケットが使用中であるすなわち電力を供給されていることを標示するのに用いられうる。
【００１４】
請求項５の実施態様は有利に、多重のタップソケットが一意的に識別されることを可能にし、これは特にデータ記録目的に有用である。
【００１５】
請求項６の実施態様は有利に、電源プラグがタップソケットに挿入された後でのみ測定が始まることを可能にする。こうして、電源プラグが挿入されていないとき、測定は実行されず、それによりエネルギー使用を制限する。
【００１６】
請求項７の実施態様は有利に、該電源タップの動きの検出を可能にする。これは誰かが電源ケーブルを取り外さないで該電源タップと一緒に機器を持ち去るリスクを減らす。
【００１７】
請求項８の実施態様は有利に、該電源タップ内の電子装置がバッテリーなしに電力を供給されることを可能にし、バッテリーが放電し尽くすことのリスクを回避する。外部電源が電子回路に電力供給するためのみに用いられることは可能である。すなわち、電力はタップソケットへは供給されず、そして電気機器は電力を受け取られない。この構成において、該電源タップは、該電源タップの電力非供給タイプと呼ばれうる。該外部電源が、該電子回路及び該タップソケットに電力を供給するために用いられることは可能である。後者の構成において、該電気機器は、電力供給され且つ電源を入れられうる。そして該電源タップは該電源タップの電力供給タイプと呼ばれうる。電源タップにおいて１以上のタップソケットに選択的に電力供給することは可能である。
【００１８】
請求項９の実施態様は有利に、外部電源の電力の低下または喪失の場合に、該電源タップ内の該電子装置に電力を供給するための一時的バックアップ電力を可能にする。
【００１９】
請求項１０の実施態様は有利に、該電源タップがまた該電気機器に電力を供給するために用いられることを可能にする。この構成における該電源タップは、該電源タップの電力供給タイプと呼ばれうる。電源タップにおいて１以上のタップソケットに選択的に電力供給することは可能である。
【００２０】
請求項１１の実施態様は有利に、該電源タップが盗難防止安全システムとしてのみ用いられことを可能にする。この構成において、該電源タップは、該電源タップの電力非供給タイプと呼ばれうる。
【００２１】
本発明の１局面に従うと、電気機器のための盗難防止安全システムが提案される。該安全システムは、上に記載された特徴の１以上を有する電源タップを備える。該安全システムは、さらにサーバーコンピュータを備える。該電源タップはさらに、該電源タップを該サーバーへ通信可能に接続するためのネットワークインタエースを備える。該電源タップは、該ネットワークインタフェース（１９）を介して、該電気的特性の変化により起動された警報信号を該サーバーへ送信するように構成される。該電源タップは、該ネットワークインタフェースを介して、該電気的特性の変化の標示を該サーバーへ送信するように構成される。
【００２２】
該サーバーは有利に、該電源タップ、該電源タップによって起動された警報、および該警報信号の原因を監視するように用いられうる。
【００２３】
請求項１３の実施態様は有利に、個々のタップソケットが該サーバーから電力を供給されることを可能にする。こうして電気機器は、該サーバーから遠隔的に電力の供給をオンオフされうる。
【００２４】
これ以降、本発明の実施態様は、さらに詳細に記載されよう。これらの実施態様はしかし、本発明の保護の範囲を限定するものとして解釈されてはならないことは理解されるべきである。
【００２５】
本発明の複数の局面が、図面に示された本発明の例示的な実施態様を参照してより詳細に説明されるであろう。
【図面の簡単な説明】
【００２６】
【図１ａ】様々な接続シナリオの１つにおける、電源タップ、電源ケーブル、および電気機器を示す説明図である。
【図１ｂ】様々な接続シナリオの別の１つにおける、電源タップ、電源ケーブル、および電気機器を示す説明図である。
【図１ｃ】様々な接続シナリオのさらに別の１つにおける、電源タップ、電源ケーブル、および電気機器を示す説明図である。
【図１ｄ】様々な接続シナリオのまた別の１つにおける、電源タップ、電源ケーブル、および電気機器を示す説明図である。
【図２】電源タップ内において用いられ電子回路の回路図である。
【図３】電源タップ内の電子回路の機能の概観を示す説明図である。
【図４】電源タップにおける任意的要素を示す説明図である。
【図５】電源タップにおける別の任意的要素を示す説明図である。
【図６】電源タップにおけるさらに別の任意的要素を示す説明図である。
【図７】電源タップにおけるまた別の任意的要素を示す説明図である。
【図８】盗難防止安全システムを示す説明図である。
【図９】コンピュータアーキテクチャを示すブロック図である。
【発明を実施するための形態】
【００２７】
電源タップ（テーブルタップ、または延長ブロック、配電盤、電力バー、差込プラグ盤、または引出し線としても知られている）は、電気機器又は装置の電源コードの端部へ接続するところの複数の電気的ソケットの一まとまりである。電源タップは通常、電源タップに接続された外部電源から複数の電気機器に電力を供給することを可能にする。電源タップは、複数の電気機器が近接して存在するときに頻繁に用いられる。
【００２８】
電気機器を電源タップに接続する電源コードは、機器を主電源へ一時的に接続するために普通に用いられるケーブルである。該ケーブルは、１００〜２４０Ｖの市内線電圧（場所に依存する）で単相交流電流電源へ接続するために、ＣＥＥ  ７、ＮＥＭＡ  ５、または何らかの別の適用可能な標準（国に依存する）に適合する電源プラグを通常用いる。電源コードは、機器に固定されうるか又は機器から取り外し可能である。取り外し可能なリード線の場合、電源コードの機器側端部は、機器へ接続するための通常IEC 60320に適合するメス型コネクタを有し、電圧のかかった突出ピンを有することからの危険を回避する。
【００２９】
図１ａは、本発明の例示的な電源タップ１０を示す。電源タップ１０は、接続された電源プラグ４０を介して、電源コード４１を受取るための１以上のタップソケット１１を有する。図１ａの例において、電源タップは、２つのタップソケット１１を有する。電源タップ１０は、上に記載されたような通常の電源タップのように見え且つ機能しうるが、盗難防止安全システム（その一例が図８に示されている）において機能するように適合されている。有利的に、電気機器３０の標準電源コード４１は、該機器３０を該安全システムに確保するために用いられうる。すなわち、専用の警報ケーブルは要求されない。電源タップ１０は、該機器へ電力を実際に供給することなしに該機器３０を該安全システムに確保するために用いられうる。この場合、電源タップ１０および電源コード４１は、盗難防止の為だけに用いられる。代わりに、電源タップ１０は、該機器３０へ電力供給も行なう可能性を有する該安全システムへ該機器３０を確保するために用いられうる。
【００３０】
電源プラグ４０の２つのピン４３、４４（図１ｄ参照）が電源タップ１０のタップソケット１１に挿入されるとき、電源タップ１０は、電源プラグ４０の２つのピン４３、４４を介して、電源コード４１及び／又はそれに接続された電気機器３０の電気的特性を測定するように適合される。電気的特性は、電源プラグ４０の２つのピン４３、４４が電源タップ１０に挿入されるときに電源プラグ４０の２つのピン４３、４４を介して測定された電源コード４１の並列静電容量でありうる。代わりに又は追加的に、電気的特性は、電源プラグ４０の２つのピン４３、４４がタップソケット１１に挿入されるときに電源プラグ４０の２つのピン４３、４４を介して測定された電磁誘導でありうる。電磁誘導の測定は、通常、電源コード４１に接続された電気機器３０内の電子回路を関わらせる。
【００３１】
こうして測定された電源コード４１及び／又は電気機器３０の１つ又は複数の電気的特性は、図１ｂに示されたように電源コード４１が機器３０から外されていることを検出するために用いられ、図１ｃに示されたように電源コード４１が切断されていることを検出するために用いられ、または図１ｄに示されたように電源コード４１が電源タップ１０から外されていることを検出するために用いられる。そのような検出があると、警報が起動されうる。
【００３２】
電源タップ１０のハウジング内において、図２に示されたような電子回路１００が、電源コード４１及び／又は機器３０の複数の電気的特性を測定するために用いられる。電源ケーブル４１は、電源プラグ４０をタップソケット１１に挿入することによって電子回路１００に接続される。より具体的には、電源プラグ４０のピン４３、４４は、タップソケット１１のピンホール１２、１３を通して挿入されるとき、ピンソケットPin1、Pin2に接続される。ピンソケットPin2は接地され、そのピンを中立ピンにする（Pin2の隣に「Ｎ」として示される）。ピンソケットPin1は、測定回路に接続され、そのピンを生きたピンにする（ピンソケットPin1の隣に「Ｌ」として示される）。
【００３３】
図２の例示的な実施態様において、電子回路１００は、様々な機能を有する部分を含んでいる。電子回路１００の実際の実装は、電源ケーブル４１及び／又は機器３０の電気的特性を測定する機能が備えられている限り、図２に示されたものとは異なってもよい。マイクロコントローラＵ１、例えばＰＩＣｘｘｘｘ型のマイクロコントローラは、出力ポートＲＣ０を介してスイッチ回路１０４を制御し、かつ入力ポートＲＡ２を介して発信回路１０２から測定結果を受け取る。ダーリントンアレイＵ３、例えばULN2003D型のそれは、マイクロコントローラＵ１からスイッチ回路１０４への信号を増幅するのに用いられうる。ダーリントンアレイＵ３の代替として、ＦＥＴまたは何らかの別の公知の電子技術がこの機能のために用いられてもよい。スイッチ回路１０４は、並列容量の測定と電磁誘導の測定との間を、リレーＲＥＬ１を用いて切り替える。
【００３４】
図２の構成において、スイッチ回路１０４は、電磁誘導を測定するように設定されている。ここで、共振回路１０３の誘導Ｌｒｅｓと、接続された電源コード４１及び／又は機器３０の誘導Ｌ（生きたピンＬと混同しないように）とを直列に接続することによって、誘導Ｌｒｅｓが誘導Ｌに加えられる。スイッチ用リレーＲＥＬ１は、並列静電容量を測定する結果をもたらす。ここで、共振回路１０３の静電容量Ｃｒｅｓと、接続された電源コード４１及び／又は機器３０の静電容量Ｃとを並列に接続することによって、静電容量Ｃｒｅｓが静電容量Ｃに加えられる。
【００３５】
共振回路１０３の出力は、発信回路１０２へ供給される。共振回路１０３の出力は、マイクロコントローラＵ１へ供給される。ここで、ポートＲＡ２上の入力周波数は、１６ビット計数器を起動させることになる。マイクロコントローラＵ１は、固定された時間間隔で１６ビット計数器の計数値を読む。該時間間隔における計数値の増加は、測定された周波数の標示を提供し、それはマイクロコントローラＵ１のメモリ１０１内に記憶される。メモリ１０１は例えばEEPROMである。
【００３６】
図２は、これ以上詳細に記載されないであろう様々な構成要素を示す。電子回路１００内のこれらの構成要素の意味および機能は、当業者によって理解されるであろう。これらの構成要素は、キャパシタＣ５、Ｃ６、及びＣ１２、インダクタＬ１、抵抗Ｒ１、Ｒ２、Ｒ３、Ｒ４、及びＲ５、および集積回路Ｕ２である。
【００３７】
図３は、電子回路１００の機能の高レベルの概観を与えている。マイクロコントローラＵ１は、寄生のコードインダクタンスおよび寄生のコードキャパシタンスの測定を切り替えるようにスイッチ１０４を制御する。インダクタンス設定において、インダクタンスが監視され、そしてインダクタンスの変化ｄＬが検出されうる。キャパシタンス設定において、キャパシタンスが監視され、そしてキャパシタンスの変化ｄＣが検出されうる。発信器回路１０２を介して、マイクロコントローラＵ１は、図２に記載されたように、計数器を用いて得られた周波数として表示された寄生インダクタンスまたは寄生キャパシティを表す値を決定する。インダクタンスの変化ｄＬは、こうして周波数の変化（ｄＦinductanceで示される）をもたらし、そしてキャパシタンスの変化ｄＣは、こうして周波数の変化（ｄＦcapacityで示される）をもたらす。発信器の周波数（それはマイクロプロセッサＵ１へ入力される）は、Ｌｒｅｓのインダクタンス、Ｃｒｅｓのキャパシタンス、並びにスイッチの設定に依存する寄生のコードインダクタンスの変化ｄＬ又は寄生のコードキャパシタンスの変化ｄＣに依存する。インダクタンスを測定するとき、発信器の周波数は、以下のようであろう：Ｆinductance＝１／（２π√（Ｌ＋ｄＬ）Ｃ））、ここでＬはＬｒｅｓの値であり、ＣはＣｒｅｓの値であり、そしてｄＬは、電源ケーブル４１及び／又は機器３０のインダクタンスの変化である。キャパシタンスを測定するとき、発信器の周波数は、以下のようであろう：Ｆcapacitance＝１／（２π√（Ｌ（Ｃ＋ｄＣ）））、ここでＬはＬｒｅｓの値であり、ＣはＣｒｅｓの値であり、そしてｄＣは、電源ケーブル４１及び／又は機器３０のキャパシタンスの変化である。
【００３８】
キャパシタンス及び／又はインダクタンスの変化は、図１ａに示されたように電源プラグ４０をタップソケット１１に挿入することによって引き起こされうる。このようにして測定された電気的特性（その値は周波数として表現され且つマイクロプロセッサＵ１内に記憶される）は、第１のすなわち当初の測定結果を与える。キャパシタンス及び／又はインダクタンスの次の変化は、図１ｂに示されたように電源コード４１を機器３０から抜くことによって、図１ｃに示されたように電源コードを切断することによって、または図１ｄに示されたように電源プラグ４０を抜くことによってもたらされうる。すると測定された電気的特性（再び周波数として表現される）は、第１のすなわち当初の測定結果とは違うであろう。マイクロプロセッサＵ１は、警報を起動するために測定結果におけるそのような変化を検出するように構成される。
【００３９】
キャパシタンスの代わりにインダクタンスを測定することは、接続された機器が電源コード４１を短絡しないときに有利でありうる。これは、該機器が該機器のスイッチングのために機械的スイッチを持つときのケースでありうる。スイッチが切られるとき、該回路は、電源コード４１の複数のリード線の間に、如何なる電子装置もないように開かれる。
【００４０】
マイクロコントローラＵ１は、インダクタンスまたはキャパシタンスの（即ち、該インダクタンスまたはキャパシタンスを示す周波数の）小さな変化を無視するように構成されうる。このことが間違いの警報を回避しうる。マイクロコントローラＵ１は、電源プラグ４０がタップソケット１１に挿入され、電源コード４１の別の端部で機器３０がプラグを抜かれたままであるとき、第１の当初の測定結果を得るように、そして該電源コード４１が該機器３０にプラグを差し込まれるときに、第２の当初の測定結果を得るように構成されうる。第１の当初の測定結果と第２の当初の測定結果との間の違いは、警報を起動するために、続いて検出された電気的特性の変化の閾値として用いられうる。
【００４１】
測定は、連続的にまたは所定の時間間隔で実施されうる。
【００４２】
１実施態様において、電源タップ１０は、盗難防止安全デバイスとしてのみ用いられうる。そのような電源タップは、無電源型の電源タップと呼ばれうる。この構成において、電力はタップソケット１１へ供給されず、その結果、機器３０は電力を供給されない。別の実施態様において、電源タップ１０は、盗難防止デバイスとして用いられ、且つタップソケット１１の１以上へ電力を供給しうる。そのような電源タップは、電力供給型の電源タップと呼ばれうる。この構成においては、機器３０は電力供給され且つ使用されうる。１実施態様において、夫々のタップソケットへの電力は、オンおよびオフに切り替えられうる。
【００４３】
例示的な実施態様において、無電源型の電源タップは、以下の機能を実行するように構成される。通常、これらの機能は、マイクロプロセッサＵ１内に構成またはプログラムされる。電源プラグ４０がタップソケット１１へ挿入されると、当初のキャパシタンス測定が実行され、かつキャパシタンス測定を標示する周波数値はメモリ１０１内に記憶される。次に、キャパシタンスは連続的に測定され、そしてキャパシタンスの変化が検出されると、インダクタンス測定が実行される。もしインダクタンスが測定されうると、すなわち周波数が検出されると、機器３０は依然として接続されており、そして警報は起動されない。次に、キャパシタンスの変化は一般に機器３０のボタン押すことにより起こされる。この場合、無電源型の電源タップは、再びキャパシタンスの測定を開始し、そして記載されたように機能する。もしインダクタンスが測定できないと、すなわち検出された周波数がゼロであると、機器３０は恐らく取り外されており、そして警報が起動される。
【００４４】
１の例示的な実施態様において、電力供給電源タップは、以下の機能を実行するように構成される。典型的にはこれらの機能は、通常マイクロコントローラＵ１内に構成され又はプログラムされる。機器３０が電力供給されており、電流がピンソケットPin1、Pin2上で測定されうる。測定可能な電流は、一般にスタンバイ電流（すなわち機器３０がスタンバイモードにあるときに使われる電流）と使用中の電流（すなわち機器３０が電源を入れられたときに使われる電流）の間の範囲内である。電流がゼロに下がるか又は電流が当初から測定不可能であるとき、これは機器３０が電源を切られている（すなわち完全に切られてスタンバイモードではない）か、又は持ち去られていることに起因しうる。タップソケットへの電力はその後切られうる。
【００４５】
機器３０が電源スイッチを切られた場合、電力供給電源タップは以下のように動作しうる。電流低下が検出されると、または電流が測定できないとき、キャパシタンス測定が実行され、かつキャパシタンス測定を示す周波数値は、メモリ１０１に記憶される。キャパシタンスは継続して測定され、そしてキャパシタンスの変化を検出すると、インダクタンス測定が実行される。もしインダクタンスが測定されうると、すなわち周波数が検出されるならば、機器３０は、依然として接続されており、警報は起動されない。キャパシタンスの変化は、一般に機器３０のオンボタンを押すこと、すなわち機器３０の電源を入れることによって引き起こされた。タップソケットへの電力はその後オンにされうる。次に、電流はモニタされ、そして電力供給電源タップは再び上に記載されたように機能する。
【００４６】
機器３０が持ち去られた場合、電力供給電源タップは以下のように動作しうる。電流低下が検出されると、または電流が測定できないときに、キャパシタンス測定が実行される。もし測定結果が得られないと、すなわち検出された周波数がゼロであるならば、インダクタンス測定が実行される。もしインダクタンスが測定できないと、すなわち検出された周波数がゼロであるならば、機器３０は持ち去られたと結論されえて、警報が起動されうる。
【００４７】
測定は、一般に各タップソケット１１に関して個々に実行され、そして測定結果は、一般に全てのタップソケット１１についてメモリ１０１に記憶される。各タップソケットは、メモリ１０１内に記憶された測定結果を区別するために識別子を割当られうる。
【００４８】
第１のまたは当初の測定は、電源プラグ４０のタップソケット１１への最初の挿入によって起動されうる。検出手段（図４の１６として表示）は、電源プラグ４０がタップソケット１１へ挿入されたことを検出するために用いられうる。検出手段１６は、様々な仕方で、例えばピン４３、４４がピンソケット１２、１３内へ挿入されるときにピン４３、４４によって阻止される光センサ、またはピン４３、４４がピンソケット１２、１３内へ挿入されると活性化されるディップスイッチで実装されうる。
【００４９】
電源タップ１０は、図５に示されたように同一性読み取り器１３を含みうる。同一性読み取り器１３、例えばＲＦＩＤタグリーダ、ＮＦＣリーダ、または指紋読み取り器は、権限を与えられた個人だけが電源タップ１０を活性化することを許容するように用いられうる。それは、電源プラグ４０または機器３０を、警報を起動することなしに取り外すことをまた可能にする。さらに、同一性読み取り器１３による同一性読み取りは、後の参照のために電源タップ１０内のメモリに記憶されうる。こうして、誰が電源タップ１０を使ったかが後ほど決定されうる。
【００５０】
電源タップ１０は、電源ケーブル４１及び／又は機器３０の電気的特性の測定によって警報が起動されるとき、警報を鳴らすためにスピーカー１４（例えば図６に示される）を含みうる。電源タップ１０は、電源ケーブル４１及び／又は機器３０の電気的特性の測定により警報信号が起動されるときに警報信号を表示するために視覚表示器１５（例えば図７に示される）を含みうる。視覚表示器１５は、例えばＬＥＤまたはディスプレイである。
【００５１】
電源タップ１０は、電源タップ１０が動かされたことを検出するために、図４に示されたように動き検出器１７を含みうる。動き検出器１７は、例えば３軸電子ジャイロスコープである。電源コード４１が接続されたままでの、機器３０および電源タップ１０の持ち去りは、依然として警報を起動しうる。
【００５２】
電源タップ１０は、一般に図８に示されたように外部電源２５に接続される。外部電源は、電子回路１００に電力を供給し、かつ任意的に機器３０へ電力供給するためにタップソケット１１へ電力を提供する。
【００５３】
バッテリー１８（例えば図４に示される）は、外部電源２５が利用できないときに、電子回路に一時的に電力を供給するために電源タップ１０の一部分でありうる。
【００５４】
図８は、本発明の例示的な実施態様の盗難防止安全システムを示す。本盗難防止安全システムにおいて、１以上の電源タップ１０は、ネットワークインタフェース１９を介して外部サーバー２０へ接続される。ネットワークインタフェース１９は、例えば上側の電源タップ内の有線ネットワークインタフェース、または例えば下側の電源タップ内の無線ネットワークインタフェースでありうる。サーバーは、警報信号、測定結果、同一性読み取り器１３を介して受け取られた同一性情報、及び／又は電源タップ１０からの何らかの他のデータを受け取りうる。こうして、サーバー２０は、電源タップ１０の動作を把握しうる。
【００５５】
サーバー２０は、接続された該機器３０に電力供給するために、タップソケット１１への電力供給を選択的に可能に又は不可能にするように構成されうる。
【００５６】
図９は、本開示の１実施態様に従う例示的なコンピュータシステム４００を描いたブロック図を示す。コンピュータシステム４００は、たとえば同一性読み取り器１３を介して受け取った同一性データを処理し且つ記憶するために、サーバー２０へ又は電源タップ１０へコンピュータ処理能力を提供するように使用されうる。
【００５７】
コンピュータシステム４００は、システムバス４１０を通してメモリ要素４０４と結合された少なくとも１つのプロセッサ４０２を含みうる。プロセッサ４０２は通常、回路を備え、且つマイクロプロセッサとして実装されうる。そのままで、コンピュータシステムは、メモリ要素４０４内にプログラムコードを記憶しうる。さらに、プロセッサ４０２は、システムバス４１０を介してメモリ要素４０４からアクセスされたプログラムコードを実行しうる。１つの局面において、コンピュータシステム４００は、プログラムコードを記憶し及び／又は実行するのに適するコンピュータとして実装されうる。しかし、システム４００は、この明細書に記載された機能を実行する能力があるところのプロセッサ及びメモリを含む任意のシステムの形態に実装されうることは理解されるべきである。
【００５８】
メモリ要素４０４は、１以上の物理的記憶装置、例えば、ローカルメモリ４０６、及び／又は１以上の大容量記憶装置４０８を含みうる。ローカルメモリ４０６は、ランダムアクセスメモリ、またはプログラムコードの実際の実行の間に一般的に使用される別の非持続的記憶装置を指しうる。大容量記憶装置は、ハードドライブまたは別の持続的データ記憶装置として実装されうる。コンピュータシステム４００はまた、プログラムコードが、実行の間に大容量記憶装置４０８から読み出されなければならない回数を減らすために、少なくとも何らかのプログラムコードの一時的な貯蔵を提供するところの１以上のキャッシュメモリ（図示されていない）を含みうる。
【００５９】
入力装置４１２および出力装置４１４として表示された入力／出力（Ｉ／Ｏ）装置は任意的に、データ処理システムに場合により無線で結合されうる。入力装置の例は、例えばキーボード、ポインティングデバイス、例えばマウス、または同一性読み取り器１３などを包含しうるが、これらに限定されるものではない。出力装置の例は、モニタ即ちディスプレイ、スピーカー等を包含しうるが、これらに限定されるものではない。入力装置及び／又は出力装置は、コンピュータシステム４００に直接的に、または介在するＩ／Ｏコントローラを通して結合されうる。ネットワークアダプタ４１６はまた、コンピュータシステム４００を、介在する私的な又は公共的なネットワークを介して別のシステム、コンピュータシステム、遠隔ネットワーク装置、及び／又は遠隔記憶装置と結合されることを可能にするように、コンピュータシステム４００に結合されうる。ネットワークアダプタは、特に、上記システム、装置、及び／又はネットワークによって、上記データへ送信されるところのデータを受け取るためのデータレシーバ４１８、および、データを上記システム、装置、及び／又はネットワークへ送信するためのデータ送信器４２０を備える。モデム、ケーブルモデム、及びイーサネット（登録商標）カードは、コンピュータシステム４００で用いられうるところのネットワークアダプタの様々なタイプの例である。
【００６０】
メモリ要素４０４は、アプリケーション（図示されていない）を記憶しうる。コンピュータシステム４００はさらに、アプリケーションの実行を容易にするところのオペレーティングシステム（図示されていない）を実行することは、理解されねばならない。実行可能なプログラムコードの形で実装されているアプリケーションは、コンピュータシステム４００によって、例えばプロセッサ４０２によって実行されうる。アプリケーションを実行することに応答して、コンピュータシステム４００は、サーバー２０または電源タップ１０の１以上の操作を実行するように構成されうる。
【符号の説明】
【００６１】
１        盗難防止安全システム
１０        電源タップ
１１        タップソケット
１３        同一性読取り器
１５        視覚的表示器
１６        検出手段
１７        動き検出器
１８        バッテリー
１９        ネットワークインタフェース
２０        サーバー
２５        外部電源
３０        電気機器
４０        電源プラグ
４１        電源コード
４３，４４  ピン
１００        電子回路
１０１        メモリ
１０３        共振回路
１０４        スイッチ回路
ＲＡ２        入力ポート
ＲＥＬ１      スイッチ用リレー
ＲＣ０        出力ポート
Ｕ１          マイクロコントローラ
Ｕ２          集積回路
Ｕ３          ダーリントンアレイ
【図１ａ】
2017515250.tif 000003
【図１ｂ】
2017515250.tif 000004
【図１ｃ】
2017515250.tif 000005
【図１ｄ】
2017515250.tif 000006
【図２】
2017515250.tif 000007
【図３】
2017515250.tif 000008
【図４】
2017515250.tif 000009
【図５】
2017515250.tif 000010
【図６】
2017515250.tif 000011
【図７】
2017515250.tif 000012
【図８】
2017515250.tif 000013
【図９】
2017515250.tif 000014
【国際調査報告】
2017515250.tif 000015
2017515250.tif 000016